【事件の表示】
　特願２００３−３６２２３２「無線ＬＡＮシステム，通信端末，無線ステーションおよびプログラム」拒絶査定不服審判事件〔平成１７年　５月１９日出願公開、特開２００５−１３０１２６〕について、次のとおり審決する。
【結　論】
　本件審判の請求は、成り立たない。
【理　由】
１．手続の経緯
　本願は、平成１５年１０月２２日の出願であって、平成１９年９月２１日付けで拒絶査定がなされ、これに対し、平成１９年１１月１日に拒絶査定に対する審判請求がなされ、当審において平成２１年１０月２７日付けで拒絶理由通知がなされ、平成２２年１月１２日付けで手続補正がなされたものである。
　
２．本願発明
　本願の請求項３０に係る発明（以下、「本願発明」という。）は、平成２２年１月１２日付け手続補正書の特許請求の範囲の請求項３０に記載された以下のとおりのものと認める。
　「複数の無線ＬＡＮ規格のいずれかおよび複数のチャネルのうちいずれかが規定する第１通信手順および複数の無線ＬＡＮ規格のいずれかおよび複数のチャネルのうちいずれかが規定する第２通信手順それぞれによって無線アクセスポイントへデータを無線送信し、かつ、無線受信する無線ステーションであって、
　前記無線アクセスポイントから送信される第２データを第２通信手順で受信する広告受信手段と、
　該広告受信手段が受信した第２データで広告されるＳＳＩＤを記憶するステーション側記憶手段と、
　前記ステーション側記憶手段に記憶されるＳＳＩＤを用いて、前記無線アクセスポイントへ第１データを第１通信手順で送信し前記無線アクセスポイントに他の無線ステーションへ中継させ、かつ、他の無線ステーションが無線送信し前記アクセスポイントが中継する第１データを第１通信手順で受信するステーション側送受信手段と、
　前記ステーション側送受信手段による第１データの無線送信および無線受信を実行するノーマルモードと、前記広告受信手段による第２データの受信を実行するサポートモードのいずれかを選択するステーション側選択手段と、
　該ステーション側選択手段により選択されたモードがノーマルモードであれば、前記ステーション側送受信手段を制御し、サポートモードであれば、前記広告受信手段を制御するステーション側制御手段と、
　該無線ステーションのモードが前記サポートモードである状態で前記広告受信手段により第２通信手順で前記第２データが受信された、場合に限り、前記ステーション側記憶手段の記憶を、その受信された第２データで広告されるＳＳＩＤにステーション側記憶制御手段により更新する、ように構成されている
　ことを特徴とする無線ステーション。」
　
３．引用例発明
　当審で通知した拒絶理由に引用された「高田学也　高橋健太郎、２００２年の注目技術　無線ＬＡＮのすべて、日経ＮＥＴＷＯＲＫ、日経ＢＰ社、２００１年１２月２２日発行、第２１号、５９−７９頁」（以下、「引用例１」という。）には、図面とともに以下の記載がある。
　
イ．「無線ＬＡＮカードの中をのぞいてみた
　安くなっただけではない。無線ＬＡＮは日々進化を続けている。例えば，写真１を見てほしい。左が現在主流の無線ＬＡＮ方式であるＩＥＥＥ８０２．１１ｂに準拠したＰＣカード型アダプタを裸にしたもの。ＩＥＥＥ８０２．１ｌｂは，無線ＬＡＮ 仕様を標準化するＩＥＥＥＰ８０２．１１ワーキング・グループが１９９７年に決めた規格で，最大１ｌＭビット／秒で伝送できる。
　一方右は， ＩＥＥＥ８０２．１１ａという別の規格に対応したＰＣカード型アダプタの中身。最大伝送速度はなんと，８０２．１ｌｂの約５倍の５４Ｍビット／秒だ。写真は，無線ＬＡＮアダプタの心臓部に当たるチップを開発した米アセロス・コミュニケーションズの試作機。すでに，８０２．１ｌｂと同じＰＣカードの中に収まっている。しかも，チップの数を比べると，８０２．１ｌａのほうが少ない。これは，すぐにでも安い製品が手に入る可能性が高いということだ。」（６０頁左欄〜右欄）
　
ロ．「無線ＬＡＮがつながるまでを追ってみよう
　普及が進んだ無線ＬＡＮを実際に使っている読者も多いはず。それでも，無線ＬＡＮのアダプタ・カードを入れたパソコンがどうやってデータを無線で送っているのか，きちんと把握していない人もいるだろう。本題に入る前に，無線ＬＡＮの構成要素を簡単におさらいしておこう。
　ここでは，パソコンから無線ＬＡＮを経由して有線ＬＡＮのイーサネットにデータを送り出すまでの過程を追って，無線ＬＡＮのしくみを把握しよう。
　
つなぐには前もって準備が必要
　無線ＬＡＮの構成要素は二つ。一つは，クライアント。無線ＬＡＮ対応のＰＣカードを挿したノート・パソコンであることが多い。もう一つは，アクセス・ポイント。無線ＬＡＮのかなめとなる機器である。クライアント同士の無線通信を中継したり，クライアントからイーサネットヘ通信を中継するブリッジの役割を果たす。
　では，さっそく無線ＬＡＮが通信するしくみを見ていこう。
　イーサネットでネットワークにつなぐとき，ＩＰアドレスなどの設定をしておけば，スイッチやハブのポートにケーブルを差し込むだけですぐに使える。その一方，無線ＬＡＮでは，つなぐ前にちょっとした準備をしなければならない（図Ａ−１）。
　必ず設定するのが「ＥＳＳ−ＩＤ」という設定項目。ＳＳＩＤという場合もある。ＥＳＳ−ＩＤは，複数ある無線ＬＡＮ を識別するための名前。アクセス・ポイントにはあらかじめＥＳＳ−ＩＤを設定しておく。そのアクセス・ポイントと通信するには，クライアントも同じＥＳＳ−ＩＤを設定しなければならない。
　もう一つ，前もって設定する項目がある。「ＷＥＰ」キーである。クライアントを認証したり，無線で送り出すデータを暗号化するために使う文字列のこと。これはオプションなので必須ではないが，もしアクセス・ポイントに設定していれば，クライアントにも同じ値を設定しなければつながらない。
　
ＥＳＳ−ＩＤで無線ＬＡＮに接続
　さて，これで準備は整った。クライアントが無線ＬＡＮ経由で，イーサネット上の相手にデータを送り届けるまでを追ってみよう（図Ａ−１）。
　初めに，クライアントは，アクセス・ポイントが使っている周波数を調べる。アクセス・ポイントは常に，さまざまな制御情報を伝える「ビーコン」と呼ぶ電波を出している。その周波数をクライアントは検知する。
　次に，クライアントは自分のＥＳＳ−ＩＤ を使って，同じＥＳＳ−ＩＤを持つアクセス・ポイントに接続する。これで，クライアントは，その無線ＬＡＮに物理的につながったことになる。ここまでは，イーサネットでいえば，ＬＡＮにつながるハブやスイッチにケーブルを差し込んでつないだことに相当する。
　さらに，もしＷＥＰキーをアクセス・ポイントに設定していれば，それを使ってクライアントを認証する。
　
無線ＬＡＮ独自のヘッダーを追加
　無線ＬＡＮに接続したら，次はデータをＭＡＣフレームに乗せて送り出す。このフレームに付けるヘッダーは，実はイーサネットのものとは違う。
　まず，ＭＡＣヘッダーから見てみよう。イーサネットの場合，ＭＡＣヘッダーに，あて先と送信元の二つのＭＡＣアドレスを格納する。一方，無線ＬＡＮで使うＭＡＣヘッダーにはさらに，アクセス・ポイントのＭＡＣアドレスを格納するフィールドが用意されている。
　さらに，無線ＬＡＮで送るデータには，イーサネットにはない「物理層ヘッダー」と呼ぶ情報を付ける。この部分に，前述のＥＳＳ−ＩＤや，通信速度を示す情報などを入れる。有線と違い，無線では距離やノイズによって電波の状況が大きく変わる。そのため，通信速度を常に変えることで最適な状態で通信するようにしなければならない。こうした通信速度などの情報を相手に伝えるために，物理層ヘッダーを利用している。
　こうしてフレームを作り上げたら，それをアナログ信号に変換し，電波に変えて，アンテナから送信する。
　送り出された電波は，アクセス・ポイントが受信する。アクセス・ポイントは物理層ヘッダーとＭＡＣヘッダーを調べる。そして，無線ＬＡＮのＭＡＣ フレームのデータ部分を，イーサネットのＭＡＣフレームに乗せ替えて，有線ＬＡＮに送り出す。こうして，クライアントが無線ＬＡＮ経由で送ったデータは，有線ＬＡＮの端末に届く。」（６２頁左欄〜６３頁中央欄）
　
ハ．「欠点だらけの認証機能
ここまで，無線ＬＡＮのセキュリティのしくみを見てきた。では，これらの対策の弱点はどこにあるのか。
　まずＥＳＳ−ＩＤの間題点から見でこう。実は，ＩＥＥＥ８０２．１１の仕様では，無線ＬＡＮカード側のＥＳＳ−ＩＤを「ＡＮＹ」または空白のままにしておくと，アクセス・ポイントがビーコン信号で伝えるＥＳＳ−ＩＤが何であってもアクセス・ポイントと通信チャネルを設定できるようになっているのである（図３−４）。
　無線ＬＡＮに標準対応したＯＳであるＷｉｎｄｏｗｓＸＰを使った場合はもっと深刻。ビーコン信号を受け取ると，そこからＥＳＳ−ＩＤを抜き出して画面上にリストアップしてくれるのである。ユーザーは，リストの中からＥＳＳ−ＩＤを選ぶだけで，そのアクセス・ポイントに通信チャネルをつなげる。これでは，ＥＳＳ−ＩＤは認証機能に使えない。」（７７頁左欄）
　
　引用例１のイ．には、無線ＬＡＮに複数の規格があることが記載されており、各規格の無線ＬＡＮには複数のチャネルがあることは当業者の技術常識である。
　引用例１のロ．には、アクセス・ポイントは、クライアント同士の無線通信を中継することが記載されており、クライアントは、アクセス・ポイントへデータを無線送信し、かつ、無線受信するものであることは明らかである。
　無線ＬＡＮによりクライアントがアクセス・ポイントを中継してデータ通信を行うには、無線ＬＡＮ規格に規定される通信手順によることは技術常識であり、この通信手順を「第１通信手順」と呼び、「第１通信手順」でデータ通信されるデータを「第１データ」と呼ぶことにする。
　引用例１のロ．には、データ通信を行う前には、クライアントをアクセス・ポイントに接続する必要があることが示されており、その手順は無線ＬＡＮ規格に規定される通信手順であることは技術常識であるので、この通信手順を「第２通信手順」と呼ぶことにする。
　そして、無線ＬＡＮの各規格には、複数のチャネルが規定されていることも技術常識である。
　クライアントには、ＥＳＳ−ＩＤが設定されるわけであるから、クライアントが設定されたＥＳＳ−ＩＤを記憶する記憶手段を有することは、技術的に自明の事項である。
　アクセス・ポイントは、クライアント同士の無線通信を中継する機能があることから、クライアントは、アクセス・ポイントへ第１データを送信し、アクセス・ポイントに他のクライアントへ中継させ、かつ、他のクライアントが無線送信しアクセス・ポイントが中継する第１データを受信する送受信手段を有していることは、技術的に自明の事項である。また、第１データの送受信が、記憶手段に記憶されたＥＳＳ−ＩＤを用いて行われ、かつ第１通信手順によることも自明である。
　引用例１のハ．には、「ビーコン信号を受け取ると，そこからＥＳＳ−ＩＤを抜き出して画面上にリストアップしてくれるのである。ユーザーは，リストの中からＥＳＳ−ＩＤを選ぶだけで，そのアクセス・ポイントに通信チャネルをつなげる。」と記載されている。
　この記載からすると、クライアントは、アクセス・ポイントから送信されるビーコン信号を第２通信手順で受信するビーコン信号受信手段を有しているといえる。
　また、クライアントは、ビーコン信号からＥＳＳ−ＩＤを抜き出して記憶するものであるから、ビーコン信号受信手段が受信したＥＳＳ−ＩＤを記憶する記憶手段を有しているといえる。
　
　したがって、引用例１には、技術常識を考慮すると、
　「複数の無線ＬＡＮ規格のいずれかおよび複数のチャネルのうちいずれかが規定する第１通信手順および複数の無線ＬＡＮ規格のいずれかおよび複数のチャネルのうちいずれかが規定する第２通信手順それぞれによってアクセス・ポイントへデータを無線送信し、かつ、無線受信するクライアントあって、
　前記アクセス・ポイントから送信されるビーコン信号を第２通信手順で受信するビーコン信号受信手段と、
　該ビーコン信号受信手段が受信したビーコン信号のＥＳＳ−ＩＤを記憶する記憶手段と、
　前記記憶手段に記憶されるＥＳＳ−ＩＤを用いて、前記アクセス・ポイントへ第１データを第１通信手順で送信し前記アクセス・ポイントに他のクライアントへ中継させ、かつ、他のクライアントが無線送信し前記アクセス・ポイントが中継する第１データを第１通信手順で受信する送受信手段と、
　ビーコン信号受信手段により第２通信手順で前記ビーコン信号が受信された場合に、前記記憶手段の記憶を、その受信されたビーコン信号のＥＳＳ−ＩＤに設定するように構成されているクライアント。」
との発明（以下、「引用例１発明」という。）が開示されていると認めることができる。
　
　また、当審で通知した拒絶理由に引用された、平成１５年８月２２日に頒布された特開２００３−２３３４４９号公報（以下、「引用例２」という。）には、図面とともに以下の記載がある。
　
ニ．「【０００１】
【産業上の利用分野】本発明はパーソナルコンピュータ、電子計算機を含む情報処理装置のワイヤレス入力システムに関する。特に、本発明は、ＩＤ（識別）と通信チャンネルを同時に実施する情報処理装置のワイヤレス入力システム及びそのＩＤ情報設定方法に関する。
【０００２】
【従来の技術】従来技術の情報処理装置のワイヤレス入力システムとして、特開２００１−１０９５６４号公報にワイヤレスキーボードＩＤ登録方法が開示されている。以下にこのワイヤレスキーボードＩＤ登録方法について説明を行う。図８はワイヤレスキーボードＩＤ登録方法を説明する概略構成を示すブロック図である。
【０００３】本図に示すように、ワイヤレスキーボード７１０のあらかじめ定めた複数の特定のキーを押下すると、ワイヤレスキーボード７１０が固有のＩＤ番号を無線電波で送信し、受信機７１２がＩＤ番号を受信しパソコン７１４がＩＤ番号を入力する。これにより、パソコン７１４に接続されている受信機７１２と、ワイヤレスキーボード７１０との一対一の対応関係が設定される。
【０００４】さらに、従来技術の情報処理装置のワイヤレスシステムとして、特開平５−２０４５２０号公報に電子計算機への無線キーボード接続方式が開示されている。以下にこの電子計算機への無線キーボード接続方式について説明を行う。図９は電子計算機への無線キーボード接続方式を説明する概略構成を示すブロック図である。」（３頁４欄）
　
ホ．「【０００８】したがって、本発明は上記問題点に鑑みて、複数の情報処理装置におけるワイヤレス入力システムにおいて、混信、入力情報の漏洩を防止し、且つ通信チャンネルの設定、ＩＤ登録の操作を容易にする情報処理装置のワイヤレス入力システム及びその設定方法を提供することを目的とする。」（４頁５欄）
　
ヘ．「【００２５】
【発明の実施の形態】以下、本発明の実施の形態について図面を参照して説明する。図１は本発明に係る情報処理装置のワイヤレス入力システムであって第１の実施例の概略構成を示すブロック図である。なお、全図を通して同一の構成要素には同一の番号、符号を付して説明を行う。
【００２６】パーソナルコンピュータ、電子計算機等の情報処理装置のワイヤレス入力システム１００は、本図に示すように、情報処理装置本体１０１、情報処理装置本体１０１に接続される受信器１１０、及び、受信器１１０へ電波を送信する入力装置１２０から構成される。受信器１１０は情報処理装置本体１０１に接続され、情報処理装置本体１０１に内蔵され、又は情報処理装置本体１０１若しくは情報処理装置１００の表示装置に内蔵される。
【００２７】情報処理装置本体１０１には表示部１０２が設けられ、表示部１０２は、例えば、ＬＥＤ（液晶表示）から構成され、情報処理装置本体１０１の状態を表示する。入力装置１２０は、代表的には、キーボード、マウス、リモコン、ジョイスティック等から構成される。
【００２８】入力装置１２０から受信器１１０に対して、ワイヤレスの無線で、情報処理装置本体１０１を操作するための入力データが送信される。より詳細には、入力装置１２０には送信部１２１が設けられ、送信部１２１は、電波を送信する送信アンテナ１２４を介して、所定の通信チャンネルで情報処理装置本体１０１に入力される情報を送信出力する。
【００２９】入力装置１２０にはチャンネル設定ボタン１１９が設けられ、チャンネル設定ボタン１１９は、所定の通信チャンネルを送信部１２１に設定し、又は設定・維持するために、使用される。チャンネル設定ボタン１１９を調整することにより、通信チャンネルを変更することが可能である。
【００３０】さらに、入力装置１２０にはＩＤ（識別）送信ボタン１１８が設けられ、ＩＤ送信ボタン１１８は、チャンネル設定ボタン１１９により設定されている通信チャンネルで、ＩＤ送信ボタン１１８が一定時間ＯＮにされている間、又はＯＮにされている間、受信器１１０にＩＤ情報を送信するために使用される。
【００３１】さらに、入力装置１２０には入力装置設定記憶部１２２が設けられ、入力装置設定記憶部１２２は、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）、ＦｌａｓｈＲＯＭ等の書き換え可能なＲＯＭ、バックアップ電池等で内容を維持できるメモリで構成され、情報処理装置本体１０１と入力装置１２０とを１対１に対応させるためのＩＤ情報等の設定情報を予め保持する。
【００３２】ＩＤ送信ボタン１１８、チャンネル設定ボタン１１９、送信部１２１及び入力装置設定記憶部１２２には入力装置マイクロコンピュータ１２３が接続され、入力装置マイクロコンピュータ１２６は、ＩＤ送信ボタン１２５がＯＮにされたらチャンネル設定ボタン１２４から入力される通信チャンネルを送信部１２２に設定し、入力装置設定記憶部１２３からＩＤ情報を読み出して送信部１２２にＩＤ情報、通信チャンネル情報を送信させる。
【００３３】ここで、ＩＤ情報と共に通信チャンネル情報を送信する理由は、後述するＩＤ情報登録後の通信時に、受信器１１０で合致しない通信チャンネルでＩＤ情報を受信できる場合があるのでこれを排除するためであり、さらに、送信している通信チャンネルと受信している通信チャンネルの同期をさせるために必要となるからである。
【００３４】なお、チャンネル設定ボタン１１９、ＩＤ送信ボタン１１８は、入力装置１２０のスイッチ、スイッチの押下の組み合わせ、又は一連の操作によって実現してもよい。次に、受信器１１０にはＩＤ登録ボタン１１３が設けられ、ＩＤ登録ボタン１１３は、一定の時間の間だけ、情報処理装置本体１０１と入力装置１２０とを１対１に対応させるＩＤ情報を受信可能にするモードに受信器１１０を遷移させるために、使用される。
【００３５】受信器１１０には受信部１１６が設けられ、受信部１１６は、入力装置１２０の送信アンテナ１２４からの電波を受信する受信アンテナ１１１を介して、ＩＤ情報、通信チャンネル情報を受信する。受信器１１０には受信器設定記憶部１１５が設けられ、受信器設定記憶部１１５は、例えば、ＥＥＰＲＯＭ、ＦｌａｓｈＲＯＭ等の書き換え可能なＲＯＭ、バックアップ電池等で内容を維持できるメモリで構成され、入力装置１２０から送信されるＩＤ情報、通信チャンネル情報を登録する。
【００３６】ＩＤ登録ボタン１１３、受信器設定記憶部１１５及び受信部１１６には受信器マイクロコンピュータ１１５が接続され、受信器マイクロコンピュータ１１５は、ＩＤ登録ボタン１１３を押してから一定時間の間、受信部１１６に順々に通信チャンネル（ｃｈ０、ｃｈ１、…、ｃｈｎ）を設定し、どの通信チャンネルでＩＤ情報、通信チャンネル情報を受信できるかを判断し、受信したＩＤ情報、通信チャンネル情報を受信器設定記憶部１１５に登録させる。
【００３７】受信器マイクロコンピュータ１１４には表示部１１７が接続され、表示部１１７は、例えば、ＬＥＤで構成され、受信器１１０及び入力装置１２０の状態を表示する。オペレータに情報を提供するためである。なお、ＩＤ登録ボタン１１４は物理的なスイッチの他、情報処理装置本体１０１から入力される信号としてもよい。
【００３８】また、表示部１１７は、ＬＥＤ、モニタ等で構成できる他の情報処理装置本体１０１に表示情報を入力するようにしてもよい。したがって、本発明によれば、受信器１１０には通信チャンネルを設定するボタンが無く、入力装置１２０だけに通信チャンネルを設定するチャンネル設定ボタン１１９が設けられ、且つ入力装置１２０のＩＤ送信ボタン１１８を押下したときに、入力装置１２０からチャンネル設定ボタン１１９で設定された通信チャンネルでＩＤ情報が送信される。さらに、受信器１１０の通信チャンネルを一定時間の間に変化させてＩＤ情報を受信することにより、受信器１１０の通信チャンネルを入力装置１２０の通信チャンネルに合わせることができるので、情報処理装置のワイヤレス入力システムの設定を簡単化できる。
【００３９】図２は図１における情報処理装置のワイヤレス入力システムの動作例を説明するフローチャートを示す図である。ステップＳ２０１において、最初に、入力装置１２０のチャンネル設定ボタン１１９で所定の通信チャンネルを設定する。ステップＳ２０２において、入力装置１２０では、チャンネル設定ボタン１１９で設定された所定の通信チャンネルで送信できるように、送信部１２１の設定を行う。
【００４０】ステップＳ２０３において、受信器１１０のＩＤ登録ボタン１１３の押下操作で、押下した時点から一定時間の間、ＩＤ情報登録可能モードとなる。この一定時間は、後述するステップＳ２０６によって設定されるループカウンタを使って実現する。受信器マイクロコンピュータ１１４は、表示部１１７にＩＤ情報登録可能であるという指示を行う。表示部１１７はＩＤ情報登録可能モードであるという表示を行う。
【００４１】ステップＳ２０４において、入力装置１２０の操作で、ＩＤ送信ボタン１１８が押下される。ステップＳ２０５において、入力装置１２０の入力装置マイクロコンピュータ１２３は、入力装置設定記憶部１２２からＩＤ情報を読み出し、送信部１２１にＩＤ情報と通信チャンネル情報を入力させ、入力したＩＤ情報、通信チャンネル情報の送信を開始させる。
【００４２】ステップＳ２０６、ステップＳ２０７において、受信器１１０の受信器マイクロコンピュータ１１４は、ループカウンタをセットし、受信部１１６の通信チャンネルをチャンネル（ｃｈ）０に設定する。ステップＳ２０８において、受信器マイクロコンピュータ１１４は、入力装置１２０から最低１回分のＩＤ情報と通信チャンネル情報を受信可能とする時間だけ、受信部１１６を受信可能な状態のままにする。受信部１１６がＩＤ情報と通信チャンネル情報が受信でき、且つ、受信した通信チャンネル情報が受信した通信チャンネルと合致した場合には、ステップＳ２１４に進む。上述の受信可能な状態のときに、待ち時間が過ぎたらステップＳ２０９に進む。
【００４３】ステップＳ２０９において、受信器マイクロコンピュータ１１４は、通信チャンネルを次のチャンネル（ｃｈ）１に変更し、受信部１１６に通信チャンネルを設定する。ステップＳ２１０において、次の通信チャンネルを設定する際に、既にチャンネルの設定が一巡していなければ、ステップＳ２０８に戻り、一巡していることが判明したら、ステップＳ２１１に進む。
【００４４】ステップＳ２１１において、受信器マイクロコンピュータ１１４は、ループカウンタをデクリメントすることにより、一定回数分の通信チャンネルの切り替え及びＩＤ情報と通信チャンネル情報の受信動作を繰り返したかを確認する。もし、一定回数分繰り返されていなければ、ステップＳ２０８に戻り、一定回数繰り返されていれば、ステップＳ２１２に進む。
【００４５】ステップＳ２１２において、ＩＤ情報と通信チャンネル情報の受信に失敗した場合には、受信器マイクロコンピュータ１１４は受信器設定記憶部１１５から既に登録されている通信チャンネル情報を取り出し、受信部１１６に設定する。それから、受信器マイクロコンピュータ１１４は表示部１１７にＩＤ情報と通信チャンネル情報の受信のエラーを表示するという指示をし、表示部１１７はＩＤ情報と通信チャンネル情報の受信のエラーを表示する。
【００４６】ステップＳ２１３において、入力装置１２０の操作によって、ＩＤ送信ボタン１１８が離されたら、ＩＤ情報と通信チャンネル情報の送信は停止され、処理を終了する。ステップＳ２１４において、受信器１１０ではＩＤ登録ボタン１１３の押下後一定時間後に、又は、ＩＤ情報、通信チャンネル情報登録後にＩＤ情報登録不可モードになる。
【００４７】ステップＳ２１５において、ステップＳ２０８で、受信部１１６がＩＤ情報と通信チャンネル情報が受信でき、且つ、受信した通信チャンネル情報が通信チャンネルと合致した場合、受信器マイクロコンピュータ１１４は、受信器設定記憶部１１５にＩＤ情報と通信チャンネル情報を登録し、ＩＤ情報登録可能モードからＩＤ情報登録不可モードに移行し、表示部１１７にＩＤ情報登録不可モードを表示する指示をし、表示部１１７はＩＤ情報登録不可モードであることを表示し、ステップＳ２１３に進む。」（６頁９欄〜８頁１３欄）
　
　引用例２の上記摘記事項及び技術常識を考慮すると、引用例２には、
　「入力装置からのデータを無線受信する、情報処理装置本体に接続される受信器であって、
　入力装置から送信されるＩＤ情報を受信する受信部と、
　受信したＩＤ情報を登録する受信器設定記憶部と、
　受信器設定記憶部に登録されるＩＤ情報を用いて、入力装置からのデータを受信する受信部と、
　受信器の受信部によるデータの無線受信を実行するＩＤ情報登録不可モードと、ＩＤ情報の受信を実行するＩＤ情報登録可能モードのいずれかを選択するＩＤ登録ボタンと、
　受信器のモードがＩＤ情報登録可能モードである状態でＩＤ情報が受信された場合に限り、受信器設定記憶部にＩＤ情報を登録するように構成されている、情報処理装置本体に接続される受信器。」
との発明（以下、「引用例２発明」という。）が開示されていると認めることができる。
　　　
４．対比
　本願発明と引用例１発明とを対比する。
　引用例１発明の「アクセス・ポイント」「クライアント」「ビーコン信号」「ＥＳＳ−ＩＤ」は、本願発明の「無線アクセスポイント」「無線ステーション」「第２データ」「ＳＳＩＤ」にそれぞれ相当する。
　引用例１発明の「ビーコン信号」は、ビーコン信号に含まれるＳＳＩＤを広告するものといえるから、引用例１発明の「ビーコン信号受信手段」は、本願発明の「広告受信手段」に相当する。
　引用例１発明の「記憶手段」「送受信手段」は、無線ステーションに有るわけであるから、本願発明の「ステーション側記憶手段」「ステーション側送受信手段」に相当する。
　引用例１発明は、「前記記憶手段の記憶を、その受信されたビーコン信号のＥＳＳ−ＩＤに設定するように構成されている」ものであるから、本願発明が「前記ステーション側記憶手段の記憶を、その受信された第２データで広告されるＳＳＩＤにステーション側記憶制御手段により更新するように構成されている」ことと実質的に相違するものではない。
　
　したがって、本願発明と引用例１発明とは、
「複数の無線ＬＡＮ規格のいずれかおよび複数のチャネルのうちいずれかが規定する第１通信手順および複数の無線ＬＡＮ規格のいずれかおよび複数のチャネルのうちいずれかが規定する第２通信手順それぞれによって無線アクセスポイントへデータを無線送信し、かつ、無線受信する無線ステーションであって、
　前記無線アクセスポイントから送信される第２データを第２通信手順で受信する広告受信手段と、
　該広告受信手段が受信した第２データで広告されるＳＳＩＤを記憶するステーション側記憶手段と、
　前記ステーション側記憶手段に記憶されるＳＳＩＤを用いて、前記無線アクセスポイントへ第１データを第１通信手順で送信し前記無線アクセスポイントに他の無線ステーションへ中継させ、かつ、他の無線ステーションが無線送信し前記アクセスポイントが中継する第１データを第１通信手順で受信するステーション側送受信手段と、
　前記広告受信手段により第２通信手順で前記第２データが受信された場合に、前記ステーション側記憶手段の記憶を、その受信された第２データで広告されるＳＳＩＤにステーション側記憶制御手段により更新する、ように構成されている無線ステーション。」
の点で一致し、以下の点で相違している。
　　
［相違点１］
　本願発明の無線ステーションは、「前記ステーション側送受信手段による第１データの無線送信および無線受信を実行するノーマルモードと、前記広告受信手段による第２データの受信を実行するサポートモードとを有しており、いずれのモードかを選択するステーション側選択手段」を有するのに対して、引用例１発明は、そのような手段を有するものではない点。
　
［相違点２］
　本願発明の無線ステーションは、「該ステーション側選択手段により選択されたモードがノーマルモードであれば、前記ステーション側送受信手段を制御し、サポートモードであれば、前記広告受信手段を制御するステーション側制御手段」を有するのに対して、引用例１発明は、そのような手段を有するものではない点。
　
［相違点３］
　前記ステーション側記憶手段の記憶を、その受信された第２データで広告されるＳＳＩＤにステーション側記憶制御手段による更新が、本願発明は、「該無線ステーションのモードが前記サポートモードである状態で前記広告受信手段により第２通信手順で前記第２データが受信された、場合に限り」行われるのに対して、引用例１発明は、前記広告受信手段により第２通信手順で前記第２データが受信された場合に行われるものである点。
　　
５．当審の判断
［相違点１〜３］について
　引用例２発明の「受信装置」は、情報処理装置本体に接続されるものであるから、受信装置と情報処理装置本体とを合わせて「第１の装置」と表現できる。そして、引用例２発明の「入力装置」は、「第２の装置」と表現できる。
　引用例２発明の「受信部」は「受信手段」といえ、「受信器設定記憶部」は「記憶手段」といえる。
　引用例２発明の「ＩＤ情報登録不可モード」は、第１の装置と第２の装置との間の通常のデータ通信を行うモードであるから、「ノーマルモード」であるといえる。
　引用例２発明の「ＩＤ情報登録可能モード」は、装置のユーザのＩＤ情報の登録を支援するために設けられていることは自明であるから、「サポートモード」であるといえる。
　そうすると、引用例２発明の「ＩＤ登録ボタン」は「ノーマルモード」と「サポートモード」を選択するものであるから、「選択手段」であるといえる。
　引用例２発明の「受信されたＩＤ情報を登録する」ことは、「受信されたＩＤ情報に更新する」ことであるといえる。
　したがって、引用例２発明は、
「第２の装置からのデータを無線受信する第１の装置であって、
　第２の装置から送信されるＩＤ情報を受信する受信手段と、
　受信したＩＤ情報を記憶する記憶手段と、
　記憶手段に記憶されるＩＤ情報を用いて、第１の装置からのデータを受信する受信手段と、
　受信手段によるデータの無線受信を実行するノーマルモードと、受信手段によるＩＤ情報の受信を実行するサポートモードのいずれかを選択する選択手段と、
　第１の装置のモードがサポートモードである状態でＩＤ情報が受信された場合に限り、記憶手段の記憶を、受信されたＩＤ情報に更新するように構成されている第１の装置。」
と表現することができる。
　引用例１発明と引用例２発明とは、第１の装置と第２の装置とに共通のＩＤ情報を設定することにより、第１の装置と第２の装置との間で無線によるデータ通信を行う通信システムである点で、技術思想を共通とするものである。
　そして、引用例１発明は、ＩＤ情報であるＳＳＩＤの設定をユーザが行うことを前提としており、引用例２発明は、ユーザによるＩＤ情報の設定を容易にすることを目的とするものであるから、引用例２発明を引用例１発明に適用することに困難性はない。
　したがって、引用例１発明において、相違点１、３に係る構成を採用することは、当業者が容易に想到し得たものである。
　また、無線ステーションがノーマルモードであれば、ステーション側送受信手段を制御し、サポートモードであれば、広告受信手段を制御することは、引用例１発明に引用例２発明を適用した場合には当然のことであるから、引用例１発明において、相違点２に係る構成を採用することも、当業者が容易に想到し得たものである。
　
　そして、本願発明の作用効果も、引用例１発明及び引用例２発明から当業者が予測できる範囲のものである。
　　　
６．むすび
　以上のとおり、本願発明は、引用例１発明及び引用例２発明に基づいて、当業者が容易に発明をすることができたものであるから、特許法第２９条第２項の規定により特許を受けることができない。
　よって、結論のとおり審決する。